(57)【要約】【課題】固定ＩＰアドレスを持たないＷｅｂサーバでもＷｅｂクライアントからの要求に応じてＷｅｂ情報の送信を可能にすること。【解決手段】Ｗｅｂサーバには、Ｗｅｂクライアントの電子メールアドレスを登録した通知先ファイル２５と、ＩＰアドレスを受信するＩＰアドレス取得手段２２と、通知先ファイル２５またはＷｅｂクライアントからの要求に基づきＩＰアドレスを電子メールで通知するＩＰアドレス通知手段２４とを設け、Ｗｅｂクライアントには、Ｗｅｂサーバへのアクセス要求時にサーバが不応答の際に電子メールによりＷｅｂサーバのＩＰアドレスの送信要求を行うＩＰアドレス要求手段３２と、Ｗｅｂサーバから送られてくる電子メールを受信して、この電子メールからＩＰアドレスを抽出してＷｅｂサーバのＩＰアドレスとして登録するＩＰアドレス登録手段３３とを設ける。【選択図】　図１
2004032344.tif 000002
【特許請求の範囲】
【請求項１】
ＩＰアドレスを用いた通信手順によりＷｅｂ情報の伝送を行うサーバとクライアントを含むＷｅｂ情報伝送システムであって、前記サーバは、クライアントの電子メールアドレスを含む通知先ファイルと、ＩＰアドレス割り当て装置よりＩＰアドレスを受信するＩＰアドレス取得手段と、前記通知先ファイルまたはクライアントからの要求に基づき、前記ＩＰアドレス取得手段により受信したＩＰアドレスをクライアントに対して電子メールで通知するＩＰアドレス通知手段と、このＩＰアドレスを自己のＩＰアドレスとして設定するＩＰアドレス設定手段とを備え、前記クライアントは、前記サーバへのアクセス要求時にサーバが不応答の際に前記サーバへ電子メールによりサーバのＩＰアドレスの送信要求を行うＩＰアドレス要求手段と、前記サーバから送られてくる電子メールを受信して、この電子メールからＩＰアドレスを抽出し前記サーバのＩＰアドレスとして登録するＩＰアドレス登録手段とを備えたことを特徴とするＷｅｂ情報伝送システム。
【請求項２】
ＩＰアドレスを用いた通信手順によりＷｅｂ情報の伝送を行うサーバとクライアントを含むＷｅｂ情報伝送システムであって、前記クライアントは、ＷＥＢ要求情報を電子メールの形式に変換するクライアント側データ変換手段と、前記データ変換手段により変換された電子メールを前記サーバへ送信する外部回線接続手段とを備え、前記サーバは、Ｗｅｂ要求情報によりＷｅｂ情報を出力するＷｅｂサーバ手段と、前記クライアントから送られてくる電子メールを受信する外部回線接続手段と、当該外部回線接続手段で受信した電子メールからＷｅｂ要求情報を抽出し前記Ｗｅｂサーバ手段へ通知し、前記Ｗｅｂサーバ手段から出力されるＷｅｂ情報を電子メールの形式に変換するサーバ側データ変換手段とを備え、このサーバ側データ変換手段により変換された電子メールを前記サーバの外部回線接続手段を介して前記クライアントへ送信することを特徴とするＷｅｂ情報伝送システム。
【請求項３】
ＩＰアドレスを用いた通信手順によりサーバとクライアントの間でＷｅｂ情報の伝送を行うＷｅｂ情報伝送方法であって、前記サーバは、クライアントの電子メールアドレスを記憶するステップと、ＩＰアドレス割り当て装置から送られてくるＩＰアドレスを受信するステップと、当該ＩＰアドレスの受信またはクライアントからの要求により、該ＩＰアドレスをクライアントに対して電子メールで通知するステップと、該ＩＰアドレスを自己のＩＰアドレスとして設定するステップとを備え、前記クライアントは、前記サーバへのアクセス要求時にサーバが不応答の際に前記サーバへ電子メールによりサーバのＩＰアドレスの送信要求を行うステップと、前記サーバから送られてくる電子メールを受信して、当該電子メールからＩＰアドレスを抽出し前記サーバのＩＰアドレスとして登録するステップとを備えたことを特徴とするＷｅｂ情報伝送方法。
【請求項４】
ＩＰアドレスを用いた通信手順によりサーバとクライアントの間でＷｅｂ情報の伝送を行うＷｅｂ情報伝送方法であって、前記クライアントは、Ｗｅｂ要求情報を電子メールの形式に変換するステップと、変換された電子メールを前記サーバへ送信するステップと、前記サーバから送られてくる電子メールを受信するステップと、受信した電子メールからＷｅｂ情報を抽出して表示するステップとを備え、前記サーバは、前記クライアントから送られてくる電子メールを受信するステップと、受信した電子メールからＷｅｂ要求情報を抽出するステップと、抽出されたＷｅｂ要求情報に基づきＷｅｂ情報を出力するステップと、このＷｅｂ情報を電子メールの形式に変換するステップと、この電子メールを前記クライアントへ送信するステップとを備えたことを特徴とするＷｅｂ情報伝送方法。
【発明の詳細な説明】
【０００１】
【発明の属する技術分野】
本発明は固定のインターネットプロトコルアドレス（以下、ＩＰアドレス）を持たないＷｅｂサーバに対してアクセスを行うＷｅｂ情報伝送システムおよび方法に関する。
【０００２】
【従来の技術】
従来、インターネット網を介してつながるＷｅｂサーバとＷｅｂクライアントはＩＰアドレスを用いた特定の通信手順により情報の受け渡しを行っている。このとき、通常Ｗｅｂクライアント側からＷｅｂサーバにアクセス要求を出すため、Ｗｅｂサーバには固定ＩＰアドレスを割り付けておくのが一般的である。
【０００３】
【発明が解決しようとする課題】
ところが、ＩＰアドレスは有限のため、Ｗｅｂサーバ数が増えるとＩＰアドレスが不足し、全てのＷｅｂサーバに固有のアドレスを割り付けることが困難になるという問題点がある。
【０００４】
本発明の目的は、固定ＩＰアドレスを持たないＷｅｂサーバでもＷｅｂクライアントからの要求に応じてＷｅｂ情報を送ることのできるＷｅｂ情報伝送システムおよび方法を提供することにある。
【０００５】
【課題を解決するための手段】
請求項１の発明に係わるＷｅｂ情報伝送システムは、ＩＰアドレスを用いた通信手順によりＷｅｂ情報の伝送を行うサーバとクライアントを含むシステムであって、前記サーバは、クライアントの電子メールアドレスを含む通知先ファイルと、ＩＰアドレス割り当て装置よりＩＰアドレスを受信するＩＰアドレス取得手段と、前記通知先ファイルまたはクライアントからの要求に基づき、前記ＩＰアドレス取得手段により受信したＩＰアドレスをクライアントに対して電子メールで通知するＩＰアドレス通知手段と、このＩＰアドレスを自己のＩＰアドレスとして設定するＩＰアドレス設定手段とを備え、前記クライアントは、前記サーバへのアクセス要求時にサーバが不応答の際に前記サーバへ電子メールによりサーバのＩＰアドレスの送信要求を行うＩＰアドレス要求手段と、前記サーバから送られてくる電子メールを受信して、この電子メールからＩＰアドレスを抽出し前記サーバのＩＰアドレスとして登録するＩＰアドレス登録手段とを備えたことを特徴とする。
【０００６】
請求項１の発明に係わるＷｅｂ情報伝送システムでは、サーバ側でＤＨＣＰ手順等によりＩＰアドレス取得時に、あるいは、クライアントからの要求時に、ＩＰアドレス通知手段によりサーバのＩＰアドレスを電子メールの形式でクライアントに送信する。クライアントは、受信した電子メールからサーバのＩＰアドレスを抽出してアクセス先を知ることができる。
【０００７】
請求項２の発明に係わるＷｅｂ情報伝送システムは、ＩＰアドレスを用いた通信手順によりＷｅｂ情報の伝送を行うサーバとクライアントを含むシステムであって、前記クライアントは、ＷＥＢ要求情報を電子メールの形式に変換するクライアント側データ変換手段と、前記データ変換手段により変換された電子メールを前記サーバへ送信する外部回線接続手段とを備え、前記サーバは、Ｗｅｂ要求情報によりＷｅｂ情報を出力するＷｅｂサーバ手段と、前記クライアントから送られてくる電子メールを受信する外部回線接続手段と、当該外部回線接続手段で受信した電子メールからＷｅｂ要求情報を抽出し前記Ｗｅｂサーバ手段へ通知し、前記Ｗｅｂサーバ手段から出力されるＷｅｂ情報を電子メールの形式に変換するサーバ側データ変換手段とを備え、このサーバ側データ変換手段により変換された電子メールを前記サーバの外部回線接続手段を介して前記クライアントへ送信することを特徴とする。
【０００８】
ここで、「Ｗｅｂ要求情報」とは、Ｗｅｂサーバに対して、所定のＷｅｂコンテンツを要求する情報を意味し、ＨＴＴＰ（Ｈｙｐｅｒ　Ｔｅｘｔ　Ｔｒａｎｓｐｏｒｔ　Ｐｒｏｔｏｃｏｌ）によるリクエスト情報を含む趣旨である。
【０００９】
請求項２の発明に係わるＷｅｂ情報伝送システムでは、クライアント側およびサーバ側に設けたデータ変換手段によりクライアントからのＷｅｂ要求およびサーバからのＷｅｂ情報の送信を電子メールの形式で行う。
【００１０】
請求項３の発明に係わるＷｅｂ情報伝送方法は、ＩＰアドレスを用いた通信手順によりサーバとクライアントの間でＷｅｂ情報の伝送を行う方法であって、前記サーバは、クライアントの電子メールアドレスを記憶するステップと、ＩＰアドレス割り当て装置から送られてくるＩＰアドレスを受信するステップと、当該ＩＰアドレスの受信またはクライアントからの要求により、該ＩＰアドレスをクライアントに対して電子メールで通知するステップと、該ＩＰアドレスを自己のＩＰアドレスとして設定するステップとを備え、前記クライアントは、前記サーバへのアクセス要求時にサーバが不応答の際に前記サーバへ電子メールによりサーバのＩＰアドレスの送信要求を行うステップと、前記サーバから送られてくる電子メールを受信して、当該電子メールからＩＰアドレスを抽出し前記サーバのＩＰアドレスとして登録するステップとを備えたことを特徴とする。
【００１１】
請求項３の発明に係わるＷｅｂ情報伝送方法では、クライアントは、サーバへのアクセス要求時にサーバが不応答のときは、サーバに対してＩＰアドレスの送信要求を電子メールで行う。サーバは、これに対して自己のＩＰアドレスを電子メールで返信する。クライアントは受信した電子メールからサーバのＩＰアドレスを抽出してアクセス先を知ることができる。また、サーバは、ＩＰアドレス取得時にも自発的に自己のＩＰアドレスをクライアントに通知する。
【００１２】
請求項４の発明に係わるＷｅｂ情報伝送方法は、ＩＰアドレスを用いた通信手順によりサーバとクライアントの間でＷｅｂ情報の伝送を行う方法であって、前記クライアントは、Ｗｅｂ要求情報を電子メールの形式に変換するステップと、変換された電子メールを前記サーバへ送信するステップと、前記サーバから送られてくる電子メールを受信するステップと、受信した電子メールからＷｅｂ情報を抽出して表示するステップとを備え、前記サーバは、前記クライアントから送られてくる電子メールを受信するステップと、受信した電子メールからＷｅｂ要求情報を抽出するステップと、抽出されたＷｅｂ要求情報に基づきＷｅｂ情報を出力するステップと、このＷｅｂ情報を電子メールの形式に変換するステップと、この電子メールを前記クライアントへ送信するステップとを備えたことを特徴とする。
【００１３】
請求項４の発明に係わるＷｅｂ情報伝送方法では、クライアントは、サーバに対してＷｅｂ情報の要求を電子メールで行う。サーバは、これに応答してＷｅｂ情報を電子メール形式でクライアントに返信する。
【００１４】
【発明の実施の形態】
以下、本発明の実施の形態を説明する。図１は本発明の第１の実施の形態に係わるＷｅｂ情報伝送システムの機能構成図である。図１において、Ｗｅｂ情報伝送システム１は、Ｗｅｂサーバ２とＷｅｂクライアント３で構成される。Ｗｅｂサーバ２とＷｅｂクライアント３は一般通信回線６を介してつながり、この回線には、電子メールの受け渡しを行うためのサーバであるＥ−Ｍａｉｌサーバ５も接続されている。
【００１５】
ここで、Ｗｅｂサーバ２は、Ｗｅｂクライアント３からの要求に対してＷｅｂ情報を出力するＷｅｂサーバ手段２１、ＩＰアドレス割り当て装置４からＩＰアドレスを受け取るＩＰアドレス取得手段２２、そのＩＰアドレスを自己のＩＰアドレスとして設定するＩＰアドレス設定手段２３、一または二以上のＷｅｂクライアントの電子メールアドレスを登録した通知先ファイル２５、受け取ったＩＰアドレスをＷｅｂクライアントに通知するＩＰアドレス通知手段２４、および通信回線６を介し他の装置と通信を行う外部回線接続手段２６Ａから構成されている。なお、ＩＰアドレス割り当て装置４は、Ｗｅｂサーバ２に対してＩＰアドレスを発行する計算機で、ＤＨＣＰ（Ｄｙｎａｍｉｃ　Ｈｏｓｔ　Ｃｏｎｆｉｇｕｒａｔｉｏｎ　Ｐｒｏｔｏｃｏｌ）手順等によりＩＰアドレスの割り付けを行う。
【００１６】
Ｗｅｂクライアント３は、Ｗｅｂサーバ２から送られてくるＷｅｂコンテンツ等のＷｅｂ情報を表示するＷｅｂブラウザ手段３１、Ｗｅｂサーバ２１のＩＰアドレスを電子メールで要求するＩＰアドレス要求手段３２、Ｗｅｂサーバ２１のＩＰアドレスを登録するＩＰアドレス登録手段３３、および外部回線接続手段２６Ｂから構成されている。
【００１７】
次に、Ｗｅｂサーバ２の動作を図２と図３を用いて説明する。図２はＩＰアドレス取得手段２４の処理手順のフローチャート、図３はＩＰアドレス通知手段２４の処理手順のフローチャートである。ＩＰアドレス取得手段２２はＩＰアドレス割り当て装置４から割り振られたＩＰアドレスを受け取ると（Ｓ２１）、ＩＰアドレス通知手段２４を起動し（Ｓ２２）、次にＩＰアドレス設定手段２３を起動する（Ｓ２３）。ＩＰアドレス通知手段２４は、ＩＰアドレス取得手段２２またはＷｅｂクライアント３からのＩＰアドレス送信要求情報の受信により起動される。ＩＰアドレス通知手段２４は起動されると、まずＩＰアドレスの受信があったかどうかを判定し（Ｓ３１）、ＮＯの場合は、ＷｅｂクライアントからＩＰアドレスの送信要求があったかどうかを判定する（Ｓ３２）。ステップＳ３１またはＳ３２のいずれもＮＯの場合は直ちに終了するが、いずれかがＹＥＳの場合は、通知先ファイルからＷｅｂクライアントの電子メールアドレスを取り出し（Ｓ３３）、そのアドレス宛てにＩＰアドレス情報を電子メールで送信する（Ｓ３４）。
【００１８】
また、ステップＳ２３により、ＩＰアドレス設定手段は起動されると、ＩＰアドレス割り当て装置４により割り振られたＩＰアドレスを自己のネットワーク情報として設定する。
【００１９】
次に、Ｗｅｂクライアント３の動作を図４と図５を用いて説明する。図４はＷｅｂブラウザ手段２１とＩＰアドレス要求手段３２の処理手順のフローチャート、図５はＩＰアドレス登録手段３３の処理手順のフローチャートである。Ｗｅｂブラウザ手段２１はオペレータの操作により起動され、ＨＴＴＰ（Ｈｙｐｅｒ　Ｔｅｘｔ　Ｔｒａｎｓｐｏｒｔ　Ｐｒｏｔｏｃｏｌ）手順でＷｅｂサーバ２に対して通信回線６経由でＷｅｂ情報の送信を要求する（Ｓ４１）。Ｗｅｂサーバ２からＷｅｂ情報の送信があれば、その情報を表示するが（Ｓ４４）、Ｗｅｂサーバ２が不応答のときは、Ｗｅｂサーバ２に対してサーバのＩＰアドレスの要求を電子メールで行う（Ｓ４３）。この電子メールは、外部回線接続手段２６Ｂを介して、通信回線６に接続されたＥ−Ｍａｉｌサーバ５を経由してＷｅｂサーバ２に届けられる。Ｗｅｂサーバ２はこの電子メールが届くとＩＰアドレス通知手段２４が起動し、上述の図３の処理が行われる。
【００２０】
Ｗｅｂクライアント３は、Ｗｅｂサーバ２から電子メールを受信するとＩＰアドレス登録手段３３が起動される。ＩＰアドレス登録手段３３は、まずＷｅｂサーバ２からＩＰアドレス情報に関する電子メールを受信したかどうかを判定し（Ｓ５１）、ＹＥＳの場合は、その電子メールからＷｅｂサーバのＩＰアドレスを取り出して（Ｓ５２）、Ｗｅｂサーバ２のＩＰアドレスとして登録する（Ｓ５３）。以降はそのＩＰアドレスにより、ＨＴＴＰアクセスを行う。
【００２１】
以上、Ｗｅｂサーバ２とＷｅｂクライアント３のそれぞれの動作を説明したが、ＷＥＢ情報伝送システム１の一連の動作は次のようになる。
【００２２】
（１）Ｗｅｂサーバ２のＩＰアドレス取得手段２２は、ＩＰアドレス割り当て装置４よりＩＰアドレスの割り当てを受ける。あるいは、Ｗｅｂクライアント３が外部回線接続２６Ｂを経由して、Ｗｅｂサーバ２にＩＰアドレス送信要求を電子メールで送信し、Ｗｅｂサーバ２側の外部回線接続手段２６Ａがそれを受信する。
【００２３】
（２）Ｗｅｂサーバ２のＩＰアドレス通知手段２４は割り当てられたＩＰアドレスを、外部回線接続手段２６Ａを介して、Ｗｅｂクライアント３に送信する。
【００２４】
（３）Ｗｅｂクライアント３側の、外部回線接続手段２６Ｂが、Ｗｅｂサーバ２からのＩＰアドレス通知を受信し、Ｗｅｂブラウザ手段３１に、Ｗｅｂサーバ２のＩＰアドレスを通知する。
【００２５】
（４）Ｗｅｂクライアント３のＷｅｂブラウザ手段３１はＷｅｂサーバ２側のＷｅｂサーバ手段２１にアクセスを行う。
【００２６】
（５）Ｗｅｂクライアント３側からＷｅｂサーバ２に対するアクセスが正常にできなくなった場合、またはＩＰアドレス割り当て装置４により新たなＩＰアドレスが割り振られた時点で（１）に戻り再度一連の処理を行う。
【００２７】
本実施の形態によれば、ＷｅｂサーバのＩＰアドレスが変更になったときに、電子メールでＷｅｂクライアントに伝えるため、Ｗｅｂサーバは固定ＩＰを持たなくてもＷｅｂクライアントからのアクセスが常に可能になる。
【００２８】
なお、図２では、ＩＰアドレス通知手段を起動してからＩＰアドレス設定手段を起動することとしているが、起動順序を逆にしても良い。また、上記の説明では、一つのＷｅｂクライアントについて説明したが、Ｗｅｂクライアントは複数でも可能であることは明らかである。
【００２９】
次に、第２の実施の形態を説明する。図６は本発明の第２の実施の形態に係わるＷｅｂ情報伝送システムの機能構成図である。図６において、Ｗｅｂサーバ２は、Ｗｅｂサーバ手段２１からのＷｅｂ情報を電子メール形式に変換するサーバ側データ変換手段２７を有する。Ｗｅｂクライアント３は、Ｗｅｂブラウザ１からのＷｅｂ要求情報を電子メール形式に変換するクライアント側データ変換手段３４を有する。その他の要素は図１に示した第１の実施の形態と同一であるので、同一要素には同一符号を付してその説明は省略する。
【００３０】
次にＷｅｂクライアント３の動作を図７と図８を用いて説明する。図７、図８は共にクライアント側データ変換手段３４の処理手順のフローチャートであるが、図７はＷｅｂ要求情報を送信するときの処理、図８はＷｅｂサーバからＷｅｂ情報を受信したときの処理を示す。
【００３１】
クライアント側データ変換手段３４は、Ｗｅｂブラウザ手段３１からのＨＴＴＰリクエスト等のＷｅｂ要求により起動されると、そのＷｅｂ要求情報を電子メールの形式に変換する（Ｓ７１）。そして、Ｗｅｂサーバ２に向けて送信要求を行う（Ｓ７２）。この電子メールは、外部回線接続手段２６Ｂを介して、通信回線６に送出され、Ｅ−Ｍａｉｌサーバ５を経由してＷｅｂサーバ２へ届けられる。一方、Ｗｅｂサーバ２から送られてくる電子メールはクライアント側データ変換手段３４でＷｅｂコンテンツ（Ｗｅｂ情報）を抽出され（Ｓ８１）、Ｗｅｂブラウザ手段３１に渡され（Ｓ８２）、同手段３１により表示される。
【００３２】
次にＷｅｂサーバ２の動作を図９を用いて説明する。図９はサーバ側データ変換手段２７の処理手順のフローチャートである。サーバ側データ変換手段２７は、Ｗｅｂクライアント３からの電子メールの受信により起動されると、その電子メールからＷｅｂ要求情報を取り出し（Ｓ９１）、その情報をＷｅｂサーバ２に渡す（Ｓ９２）。そして、Ｗｅｂサーバ２からＷｅｂ要求情報に対応したＷｅｂコンテンツを受け取ると（Ｓ９３）、それを電子メールの形式に変換して（Ｓ９４）、Ｗｅｂクライアント３に向けて送信要求を行う（Ｓ９５）。この電子メールは、外部回線接続手段２６Ａを介して、通信回線６に送出され、Ｅ−Ｍａｉｌサーバ５を経由してＷｅｂクライアント３へ届けられる。
【００３３】
以上、Ｗｅｂクライアント３とＷｅｂサーバ２のそれぞれの動作を説明したが、Ｗｅｂ情報伝送システム１の一連の動作は次のようになる。
【００３４】
（１）Ｗｅｂクライアント３のＷｅｂブラウザ手段３１は、ユーザオペレーションにより発生したＨＴＴＰリクエストをクライアント側データ変換手段３４により電子メールの形式に変換し、外部回線接続手段２６Ｂを介してＷｅｂサーバ２に送信する。
【００３５】
（２）Ｗｅｂサーバ２側の、外部回線接続手段２６Ａは、Ｗｅｂクライアント３より送信された電子メール形式のデータをサーバ側データ変換手段２７により変換し、ＨＴＴＰリクエスト情報を取得し、Ｗｅｂサーバ手段２１に送る。
【００３６】
（３）Ｗｅｂサーバ２のＷｅｂサーバ手段２１は、送られてきたＨＴＴＰリクエストを処理し、その結果をサーバ側データ変換手段２７により電子メールの形式に変換し、外部回線接続手段２６Ａを介してＷｅｂクライアント３に返信する。
【００３７】
（４）Ｗｅｂクライアント３側の、外部回線接続手段２６Ｂは、Ｗｅｂサーバ２から返信された電子メール形式のデータをクライアント側データ変換手段３４により変換し、その結果をＷｅｂブラウザ手段３１により表示する。
【００３８】
上記の処理はオペレータの操作に応じて繰り返される。
【００３９】
本実施の形態によれば、サーバ側とクライアント側に各々データ変換手段を設け、ＷｅｂサーバとＷｅｂクライアントの間のＷｅｂ情報のやり取りを電子メール形式で行うため、ＷｅｂサーバのＩＰアドレスの変更に影響されず、Ｗｅｂクライアントからのアクセスが常に可能になる。
【００４０】
また、Ｗｅｂ情報の伝送を電子メールで行うため、既存のＷｅｂサーバやＷｅｂブラウザをほとんど変更することなく実現することが可能である。
【００４１】
【発明の効果】
以上説明したように、本発明のＷｅｂ情報伝送装置および方法によれば、固定ＩＰアドレスを持たないＷｅｂサーバに対してもＷｅｂクライアントからのアクセスが可能になる。
【図面の簡単な説明】
【図１】本発明の第１の実施の形態に係わるＷｅｂ情報伝送システムの機能構成図。
【図２】図１のＩＰアドレス取得手段の処理手順のフローチャート。
【図３】図１のＩＰアドレス通知手段の処理手順のフローチャート。
【図４】図１のＷｅｂブラウザ手段とＩＰアドレス要求手段の処理手順のフローチャート。
【図５】図１のＩＰアドレス登録手段の処理手順のフローチャート。
【図６】本発明の第２の実施の形態に係わるＷｅｂ情報伝送システムの機能構成図。
【図７】図６のクライアント側データ変換手段の電子メールへの変換処理手順のフローチャート。
【図８】図６のクライアント側データ変換手段のＷｅｂ情報受信時の処理手順のフローチャート。
【図９】図６のサーバ側データ変換手段の処理手順のフローチャート。
【符号の説明】
１…Ｗｅｂ情報伝送システム、２…Ｗｅｂサーバ、３…Ｗｅｂクライアント
４…ＩＰアドレス割り当て装置、５…Ｅ−Ｍａｉｌサーバ、６…一般通信回線
２１…Ｗｅｂサーバ手段、２２…ＩＰアドレス取得手段
２３…ＩＰアドレス設定手段、２４…ＩＰアドレス通知手段
２５…通知先ファイル
２６Ａ、２６Ｂ…外部回線接続手段、２７…サーバ側データ変換手段
３１…Ｗｅｂブラウザ手段、３２…ＩＰアドレス要求手段
３３…ＩＰアドレス登録手段、３４…クライアント側データ変換手段
【図１】
2004032344.tif 000003
【図２】
2004032344.tif 000004
【図３】
2004032344.tif 000005
【図４】
2004032344.tif 000006
【図５】
2004032344.tif 000007
【図６】
2004032344.tif 000008
【図７】
2004032344.tif 000009
【図８】
2004032344.tif 000010
【図９】
2004032344.tif 000011